(57)【要約】【課題】  ダム湖に汚濁水が一時的に流入した場合に、その汚濁水がダム付近に流入しないように制御することが簡単にできるダム流入汚濁水制御設備を提供すること。【解決手段】  浮沈式フェンス１をダム湖２の両岸３ａ，３ｂに差し渡すようにして張設するとともに、該フェンス１の上流側水面に汚濁センサ４を設置し、該汚濁センサ４の信号に基づいて前記フェンス１を浮沈させるようにした。【選択図】        図１
2005120582.tif 000002
【特許請求の範囲】
【請求項１】
浮沈式フェンスをダム湖の両岸に差し渡すようにして張設するとともに、該フェンスの
上流側水面に汚濁センサを設置し、該汚濁センサの信号に基づいて前記フェンスを浮沈さ
せるようにしたことを特徴とする、ダム流入汚濁水制御設備。
【請求項２】
上記浮沈式フェンスは、空気によって浮力が付与される浮沈式フロートと、該フロート
から垂下されたカーテンを備えていることを特徴とする、請求項１に記載のダム流入汚濁
水制御設備。
【請求項３】
上記浮沈式フロートの適宜位置に、常時浮上している補助フロートを配設したことを特
徴とする、請求項２に記載のダム流入汚濁水制御設備。
【請求項４】
上記浮沈式フェンスに、常時浮上しているフロートと該フロートから垂下されたネット
とによって構成されるネットフェンスを並設させるとともに、前記ネットの下縁を、前記
浮沈式フェンスのカーテンの上部に取付けたことを特徴とする、請求項２に記載のダム流
入汚濁水制御設備。
【請求項５】
浮沈式フェンスをダム湖の両岸に差し渡すようにして張設し、前記フェンスの上流側水
面が汚濁された際に、前記フェンスを水面上に浮上させて、フェンスの上流側水面の汚濁
水がダム前面水域に流れ込むのを防止し、前記フェンスの上流側水面が清浄になったとき
、前記フェンスを水中に沈降させて、フェンスの上流側水面の水をダム前面水域に流入さ
せることを特徴とする、ダム流入汚濁水制御方法。
【発明の詳細な説明】
【技術分野】
【０００１】
本発明は、ダム流入汚濁水制御設備、およびダム流入汚濁水制御方法に関するものであ
る。
【背景技術】
【０００２】
水道水取水ダム等においては、洪水時にダム湖に流入した汚濁水がそこに留まることを
解消するために、ダムの上流と下流とを結ぶバイパストンネルを形成し、該トンネルを介
して汚濁水を、取水口よりも下流に逃がすようにしたダム流入汚濁水制御設備がある（例
えば、特許文献１，２参照）。
【０００３】
【特許文献１】特開平５−１７９６３１号公報（図１、図２）
【特許文献２】特開平９−１４３９６１号公報（図１、図３）
【発明の開示】
【発明が解決しようとする課題】
【０００４】
しかしながら、上記特許文献１，２に開示されているダム流入汚濁水制御設備では、例
えば、集中豪雨等の一時的な降雨によってダム湖の水が汚濁された場合に、その都度バイ
パストンネルを開放して汚濁水をダム下流に放流することは、ランニングコストの多大な
上昇を招いてしまう。
【０００５】
そこで本発明は、上記した背景技術が有する実情に鑑みて、特に、ダム湖に汚濁水が一
時的に流入した場合に、その汚濁水がダム付近に流入しないように制御することが簡単に
できる、ダム流入汚濁水制御設備およびダム流入汚濁水制御方法を提供することを目的と
する。
【課題を解決するための手段】
【０００６】
上記した課題を解決するため、請求項１のダム流入汚濁水制御設備では、浮沈式フェン
スをダム湖の両岸に差し渡すようにして張設するとともに、該フェンスの上流側水面に汚
濁センサを設置し、該汚濁センサの信号に基づいて前記フェンスを浮沈させるようにした
ことを特徴としている。
【０００７】
また、請求項２のダム流入汚濁水制御設備では、上記請求項１の発明において、上記浮
沈式フェンスが、空気によって浮力が付与される浮沈式フロートと、該フロートから垂下
されたカーテンを備えていることを特徴としている。
【０００８】
更に、請求項３のダム流入汚濁水制御設備では、上記請求項２の発明において、上記浮
沈式フロートの適宜位置に、常時浮上している補助フロートを配設したことを特徴として
いる。
【０００９】
また、請求項４のダム流入汚濁水制御設備では、上記請求項２の発明において、上記浮
沈式フェンスを、常時浮上しているフロートと該フロートから垂下されたネットによって
構成されるネットフェンスを並設させるとともに、前記ネットの下縁を、前記浮沈式フェ
ンスのカーテンの上部に取付けたことを特徴としている。
【００１０】
また、請求項５のダム流入汚濁水制御方法では、浮沈式フェンスをダム湖の両岸に差し
渡すようにして張設し、前記フェンスの上流側水面が汚濁された際に、前記フェンスを水
面上に浮上させて、フェンスの上流側水面の汚濁水がダム前面水域に流れ込むのを防止し
、前記フェンスの上流側水面が清浄になったとき、前記フェンスを水中に沈降させて、フ
ェンスの上流側水面の水をダム前面水域に流入させることを特徴としている。
【発明の効果】
【００１１】
上記した請求項１のダム流入汚濁水制御設備によれば、安価な設備で、ダム湖の水が汚
濁した場合に、その汚濁水がダムの前面水域に流入するのを防止することができる。
【００１２】
上記した請求項２のダム流入汚濁水制御設備よれば、カーテンによって水面から適宜深
さまでの汚濁水を、ダム前面水域に流入するのを確実に防止すことができる。
【００１３】
上記した請求項３のダム流入汚濁水制御設備によれば、補助フロートによって、浮沈式
フェンスの沈降量を一定深さに維持することができる。
【００１４】
上記した請求項４のダム流入汚濁水制御設備によれば、ネットフェンスのフロートによ
って、浮沈式フェンスを所定位置に保持することができ、浮沈式フロートを浮沈させるた
めのエアーが少なくて済むとともに、浮沈式フェンスが水中に沈降している状態でも、ネ
ットフェンスのネットによって、ゴミ等がダム前面水域に流入するのを阻止することがで
きる。
【００１５】
上記した請求項５のダム流入汚濁水制御方法によれば、安価な設備で、ダム湖の水が汚
濁した場合に、その汚濁水がダムに流入するのを防止することができる。
【発明を実施するための最良の形態】
【００１６】
以下、上記した本発明に係るダム流入汚濁水制御設備およびダム流入汚濁水制御方法の
実施の形態を、図面等を参照しながら詳細に説明する。
ここで、図１は本発明に係るダム流入汚濁水制御設備の一実施の形態を概念的に示した
斜視図、図２は図１における汚濁水制御設備のフェンスを浮上させた状態を示した要部斜
視図、図３は図１における汚濁水制御設備のフェンスを沈降させた状態を示した要部斜視
図、図４はフェンスを沈降させるためのエア給排気配管を示した管路図である。
【００１７】
図示したダム流入汚濁水制御設備Ａでは、浮沈式フェンス１がダム湖２の両岸３ａ，３
ｂに差し渡すようにして張設され、該フェンス１の上流側水面に汚濁センサ４が設置され
、該汚濁センサ４の検出信号に基づいて、浮沈式フェンス１にエアーを給排気するエア給
排気制御装置５が設置されている。
【００１８】
上記浮沈式フェンス１では、図２および図３に示したように、適宜間隔に、常時浮力が
付与されている補助フロート６，６・・・が配置され、それらの補助フロート６，６・・
・間に、空気を供給することによって浮力が付与され、排気することによって浮力を失う
浮沈式フロート７，７・・・が配置されている。そして、前記浮沈式フロート７，７・・
・は、例えば補助フロート６を貫通して設けられたパイプ（ホース）８によって互いに連
通され、最端部の浮沈式フロート７が、図１に示したように、エア給排気制御装置５のパ
イプ（ホース）９に接続されている。
【００１９】
また、上記浮沈式フェンス１では、補助フロート６および浮沈式フロート７に、カーテ
ン１０が垂下されており、該カーテン１０の下縁には、カウンタウエート１１が取付けら
れている。カーテン１０の上下方向の幅Ｌは、１０メートル程度に設計され、水面からか
なりの深さまでの汚濁水を、ダム前面水域に流入するのを防止している。
【００２０】
上記エア給排気制御装置５は、図４に示したように、コンプレッサ１２によって常時エ
アーが蓄積されるエアレシーバ１３を備えている。そして、エアレシーバ１３は、制御弁
１４を介してパイプ９に接続されている。この制御弁１４は、ＣＰＵ等を備えた制御部１
５によって、エアレシーバ１３を浮沈式フロート７に連通させるエア供給状態と、浮沈式
フロート７を大気に開放するエア排気状態とを実現する。上記エア給排気制御装置５の制
御部１５は、汚濁センサ４に接続され、該汚濁センサ４の検知信号に基づいて、上記制御
弁１４に上記制御を行なう。
【００２１】
上記した汚濁水制御設備Ａでは、通常、即ち、ダム湖２の上流側の水が清浄である場合
には、浮沈式フロート７内からエアーが排気され、図３に示したように、カーテン１０の
上縁が水中に沈降されている。
【００２２】
一方、集中豪雨等によって上流側の水が汚濁された場合には、その汚濁状態が汚濁セン
サ４によって検出され、エア給排気制御装置５によって制御弁１４が作動され、浮沈式フ
ロート７内にエアーが供給され、図２に示したように、浮沈式フェンス１の上縁が水面に
浮上される。
これにより、水面の汚濁水は浮沈式フェンス１に堰き止められて、ダム１６側へ流入す
ることはない。なお、ダム湖２の上流側の適宜深さの水（まだ汚濁されていない水）は、
カーテン１０の下方からダム１６の前面水域に流入する。
【００２３】
雨が上がり、時間が経過すると、水面は次第に澄み、また水面の汚濁水は沈降する。浮
沈式フェンス１の上流側の水が澄んでくると、その水の清浄状態が汚濁センサ４によって
検出される。この汚濁センサ４の検知信号に基づき、エア給排気制御装置５によって制御
弁１４が作動され、浮沈式フロート７内のエアーが排気され、浮沈式フェンス１は、図３
に示したように、再びその上縁の一部が沈降し、その部分から上流側の澄んだ水がダム１
６の前面水域に流入する。
【００２４】
図５乃至図７は、本発明に係るダム流入汚濁水制御設備の他の実施の形態を示したもの
であり、図５はその全体を概念的に示した斜視図、図６は図５における汚濁水制御設備の
フェンスを浮上させた状態を示した要部斜視図、図７は図５における汚濁水制御設備のフ
ェンスを沈降させた状態を示した要部斜視図である。
【００２５】
このダム流入汚濁水制御設備Ｂでは、ネットフェンス１７がダム湖２の両岸３ａ，３ｂ
に差し渡すようにして張設されている。このネットフェンス１７には、常時浮力が付与さ
れているフロート１８，１８・・・が適宜な間隔をもって配置され、それらのフロート１
８，１８・・・には、上下方向の幅Ｌａが１ｍ程度のネット１９が垂下されている。そし
て、このネットフェンス１７のネット１９の下縁には、浮沈式フェンス１のカーテン１０
の上部が縫合等によって取付けられている。
なお、このダム流入汚濁水制御設備Ｂでは、浮沈式フェンス１に補助フロート６はなく
、浮沈式フロート７のみによって構成されている。
【００２６】
上記したダム流入汚濁水制御設備Ｂでは、通常、即ち、ダム湖２の上流側の水が清浄で
ある場合には、浮沈式フロート７内からエアーが排気されており、カーテン１０の上縁が
、図７に示したように水中に沈降され、清浄な水がダム１６側に流入する。
【００２７】
一方、集中豪雨等によって上流側の水が汚濁された場合には、その汚濁状態が汚濁セン
サ４によって検出され、エア給排気制御装置５によって制御弁１４が作動され、浮沈式フ
ロート７内にエアーが供給され、図６に示したように、浮沈式フェンス１の上縁が水面に
浮上される。
これにより、水面の汚濁水は浮沈式フェンス１に堰き止められて、ダム１６の前面水域
に流入することはない。なお、浮沈式フェンス１の上流側の適宜深さの水（まだ汚濁され
ていない水）は、カーテン１０の下方からダム１６の前面水域に流入する。
【００２８】
雨が上がり、時間が経過すると、水面は次第に澄み、また水面の汚濁水は沈降する。浮
沈式フェンス１の上流側の水が澄んでくると、その水の清浄状態が汚濁センサ４によって
検出される。この汚濁センサ４の検知信号に基づいて、エア給排気制御装置５によって、
制御弁１４が作動され、浮沈式フロート７内のエアーが排気される。
これにより、浮沈式フェンス１は、図７に示したように、その上縁の一部が沈降し、そ
の部分から上流側の澄んだ水がダム１６側に流入する。
【００２９】
上記した実施形態のダム流入汚濁水制御設備Ｂでは、ネットフェンス１７のフロート１
８によって浮沈式フェンス１の全体が支持されている構造であるため、浮沈式フロート７
の浮力は小さくて済む。また、浮沈式フロート７が水中に沈降している状態でも、ネット
フェンス１７が水面上に位置されているので、該ネットフェンス１７によってゴミ等が捕
捉され、ゴミ等がダム１６側に流入する虞もない。
【００３０】
以上、本発明の実施の形態を説明したが、本発明は、何ら既述の実施の形態に限定され
ず、特許請求の範囲に記載した本発明の技術的思想の範囲内において、種々の変形及び変
更が可能であることは当然である。
【図面の簡単な説明】
【００３１】
【図１】本発明に係るダム流入汚濁水制御設備の一実施の形態を概念的に示した斜視図である。
【図２】図１における汚濁水制御設備の浮沈式フェンスを浮上させた状態を示した要部斜視図である。
【図３】図１における汚濁水制御設備の浮沈式フェンスを沈降させた状態を示した要部斜視図である。
【図４】浮沈式フェンスを沈降させるためのエア給排気配管を示した管路図である。
【図５】本発明に係るダム流入汚濁水制御設備の他の実施の形態を示した概念的な斜視図である。
【図６】図５における汚濁水制御設備の浮沈式フェンスを浮上させた状態を示した要部斜視図である。
【図７】図５における汚濁水制御設備の浮沈式フェンスを沈降させた状態を示した要部斜視図である。
【符号の説明】
【００３２】
１          浮沈式フェンス
２          ダム湖
３ａ，３ｂ  岸
４          汚濁センサ
５          エア給排気制御装置
６          補助フロート
７          浮沈式フロート
８，９      パイプ（ホース）
１０        カーテン
１１        カウンタウエート
１２        コンプレッサ
１３        エアレシーバ
１４        制御弁
１５        制御部
１６        ダム
１７        ネットフェンス
１８        フロート
１９        ネット
Ａ，Ｂ      ダム流入汚濁水制御設備
【図１】
2005120582.tif 000003
【図２】
2005120582.tif 000004
【図３】
2005120582.tif 000005
【図４】
2005120582.tif 000006
【図５】
2005120582.tif 000007
【図６】
2005120582.tif 000008
【図７】
2005120582.tif 000009